(57)【要約】【課題】第１無線通信部と第２無線通信部を具備する複合無線装置において、リンクロスを生じた際にも、ユーザにリンクロスを意識させることなく通信を継続することを目指す。【解決手段】第１及び第２の通信コンテンツを通信可能な第１無線通信部と、第２無線通信部と、第１無線通信部のリンクロスを検出するリンクロス検出部と、前記リンクロスからの時間を計数するタイマ部と、を有する無線通信端末であって前記第１無線通信部が、第１の通信コンテンツを通信している場合で、前記計数時間が第１の所定時間を越えた場合に、前記第２無線通信部を介して前記第１の通信コンテンツを通信し、前記第１無線通信部が第２の通信コンテンツを通信している場合で、前記計数時間が、前記第１の所定時間より長い第２の所定時間を越えた場合に、前記第１無線通信部の通信断を検出する。【選択図】図１
2012186744.tif 000002
【特許請求の範囲】
【請求項１】
第１及び第２の通信コンテンツを通信可能な第１無線通信部と、
第２無線通信部と、
第１無線通信部のリンクロスを検出するリンクロス検出部と、
前記リンクロスからの時間を計数するタイマ部と、を有する無線通信端末であって
前記第１無線通信部が、第１の通信コンテンツを通信している場合で、前記計数時間が第１の所定時間を越えた場合に、前記第２無線通信部を介して前記第１の通信コンテンツを通信し、
前記第１無線通信部が第２の通信コンテンツを通信している場合で、前記計数時間が、前記第１の所定時間より長い第２の所定時間を越えた場合に、前記第１無線通信部の通信断を検出する無線通信端末。
【請求項２】
請求項１に記載の無線通信端末であって、
前記第１無線通信部が第１の通信コンテンツを通信している場合で、かつ前記第２無線通信部を起動していない場合で、かつ前記計数時間が第１の所定時間を越えた場合に、前記第２無線通信部を起動し、前記起動した前記第２無線通信部を介して前記第１の通信コンテンツを通信する無線通信端末。
【請求項３】
請求項２に記載の無線通信端末であって、
前記第１無線通信部が第１の通信コンテンツを通信している場合で、かつ前記第２無線通信部を起動していない場合で、かつ前記計数時間が第１の所定時間を越えた場合に、前記第２無線通信部を起動し、前記起動した前記第２無線通信部を介して前記第１の通信コンテンツを通信し、
前記第１無線通信部が第１の通信コンテンツを通信している場合で、かつ前記第２無線通信部を起動している場合で、かつ前記計数時間が、前記第１の所定時間より長く前記第２の所定時間より短い第３の所定時間を越えた場合に、前記第２無線通信部を介して前記第１の通信コンテンツを通信する無線通信端末。
【請求項４】
請求項１から請求項３のいずれか１項に記載の無線通信端末であって、
前記第１の通信コンテンツは、前記第１無線通信部が通信する他の無線通信端末に対する制御コマンドである無線通信端末。
【請求項５】
請求項４に記載の無線通信端末であって、
前記第２の通信コンテンツは、音声信号、又は映像信号の内、少なくとも１つである無線通信端末。
【発明の詳細な説明】
【技術分野】
【０００１】
本発明は、携帯電話やスマートフォンやパッド端末等の無線通信端末に関する。
【背景技術】
【０００２】
現在、ＩＳＭ（Ｉｎｄｕｓｔｒｉａｌ  Ｓｃｉｅｎｃｅ  Ｍｅｄｉｃａｌ）（２４００〜２４８３．５ＭＨｚ）帯域を使用する無線通信装置の普及が進んでいる。このＩＳＭ帯域を使用する無線通信装置として、ＩＥＥＥ８０２．１１規格に準じた無線方式を用いる無線ＬＡＮ（Ｌｏｃａｌ  Ａｒｅａ  Ｎｅｔｗｏｒｋ）装置と、Ｂｌｕｅｔｏｏｔｈ（登録商標）等の微弱電波を使用した無線方式を用いた微弱電波無線装置とがあり、同一筐体（複合無線装置）内において利用することが想定される。
【０００３】
これら無線装置を内蔵した携帯型の情報端末において、無線通信を含む全ての電力は内蔵電池からの供給となるため、無線通信の省電力化を行い、電池の寿命を延ばすことが情報端末の利便性を向上させる上で重要となる。
これらの解決策として、データ通信に必要な通信処理期間以外では非アクティブ状態に移行させ、通信処理の始期/終期にはデータ通信路よりも低電力な通信手段において通知、制御を行うことにより、省電力化を図る解決策が特許文献１で公開されている。
また、近距離無線通信は通信距離が短く、送信出力も小さいために、移動中に使用する際には、通信が切断されてデータ通信が行えなくなる状況に陥りやすいという問題点があるが、こちらの解決策として、近距離無線通信の切断を検出し次第、無線電話通信に通信経路を切り替えて通信を継続することにより、近距離無線通信の通信状態の影響を受けることなくデータ通信の実現を図る解決策が特許文献２で公開されている。
【先行技術文献】
【特許文献】
【０００４】
【特許文献１】特開２００７−３０６２０１号公報
【特許文献２】特開２００３−１９９１６７号公報
【発明の概要】
【発明が解決しようとする課題】
【０００５】
しかし、上記の特許文献１で想定されている近距離無線通信は、送信出力が小さく低電力化を図ることができる反面、電波状況の悪化により近距離通信が簡単に切断されデータ通信が行えなくなる場合がある。また、上記の特許文献２における近距離無線通信切断時の通信経路切替えを適用するとしても、近距離無線通信のリンクロス検出後の通信路切替えとなるため、通信が再開されるまでに時間を要してしまうという課題が挙げられる。
【０００６】
よって、本実施の形態によれば、第１無線通信の通信コンテンツ種別の判定を行い、その判定結果に応じてリンクロス判定時間の切替えを行っている。これにより、第１無線通信においてリンクロスが発生した際、第２無線通信への切替えが可能なコンテンツの場合には、リンクロス判定時間を短く設定することにより短時間での第２無線通信への切替えが可能となり、ユーザにリンクロスを意識させることなく通信を継続することが可能となる。
【０００７】
本発明の情報端末は、第１無線通信部と第２無線通信部を具備する情報端末において、リンクロスが発生した際にも、ユーザにリンクロスを意識させることなく通信を継続できる情報端末を提供することを目的とする。
【課題を解決するための手段】
【０００８】
本発明の無線通信端末は、第１及び第２の通信コンテンツを通信可能な第１無線通信部と、第２無線通信部と、第１無線通信部のリンクロスを検出するリンクロス検出部と、前記リンクロスからの時間を計数するタイマ部と、を有する無線通信端末であって前記第１無線通信部が、第１の通信コンテンツを通信している場合で、前記計数時間が第１の所定時間を越えた場合に、前記第２無線通信部を介して前記第１の通信コンテンツを通信し、前記第１無線通信部が第２の通信コンテンツを通信している場合で、前記計数時間が、前記第１の所定時間より長い第２の所定時間を越えた場合に、前記第１無線通信部の通信断を検出する。
この構成により、前記第１無線通信の通信コンテンツ種別の判定を行い、その判定結果に応じてリンクロス判定時間を切替えることで、前記第１無線通信においてリンクロスが発生した際、前記第２無線通信への切替えが可能なコンテンツの場合には、リンクロス判定時間を短く設定することにより短時間での前記第２無線通信への切替えが可能となり、ユーザにリンクロスを意識させることなく通信継続を実現することができる。
また、本発明の無線通信端末は、前記第１無線通信部が第１の通信コンテンツを通信している場合で、かつ前記第２無線通信部を起動していない場合で、かつ前記計数時間が第１の所定時間を越えた場合に、前記第２無線通信部を起動し、前記起動した前記第２無線通信部を介して前記第１の通信コンテンツを通信する。
この構成により、前記第１無線通信にて前記第１の通信コンテンツを通信中に、前記第１の所定時間が経過した場合、前記第２無線通信部が起動しているかどうかの判定を行い、その判定結果に応じて前記第２無線通信部に対して起動制御を実施し起動状態に移行させることにより、前記第１無線通信から前記第２無線通信部への切替えが行われる際、ユーザに前記第２無線通信の起動手順を意識させることなく通信継続を実現することができる。
【０００９】
また、本発明の無線通信端末は、前記第１無線通信部が第１の通信コンテンツを通信している場合で、かつ前記第２無線通信部を起動していない場合で、かつ前記計数時間が第１の所定時間を越えた場合に、前記第２無線通信部を起動し、前記起動した前記第２無線通信部を介して前記第１の通信コンテンツを通信し、前記第１無線通信部が第１の通信コンテンツを通信している場合で、かつ前記第２無線通信部を起動している場合で、かつ前記計数時間が、前記第１の所定時間より長く前記第２の所定時間より短い第３の所定時間を越えた場合に、前記第２無線通信部を介して前記第１の通信コンテンツを通信する。
この構成により、前記第１無線通信にて前記第１の通信コンテンツを通信中に、前記第２無線通信部が起動しているかどうかの判定を行い、その判定結果に応じて前記第１無線通信部のリンクロス判定時間を切替えることにより、前記第１無線通信から前記第２無線通信への切替えが行われる際、ユーザに前記第２無線通信の起動手順だけでなく、切替え時間をも意識させることなく通信継続を実現することができる。
【００１０】
また、本発明の無線通信端末は、前記第１の通信コンテンツは、前記第１無線通信部が通信する他の無線通信端末に対する制御コマンドである。
【００１１】
この構成により、制御コマンドを前記第１の通信コンテンツに指定することにより、前記第１無線通信にてリンクロスが発生した際にも、前記第２無線通信を介して他の無線通信端末の起動制御を行うことが可能となるため、ユーザに前記第１無線通信がリンクロスしたことを意識させることなく通信継続を実現することが可能となる。
【００１２】
また、本発明の無線通信端末は、前記第２の通信コンテンツは、音声信号、又は映像信号の内、少なくとも１つである。
【００１３】
この構成により、音声信号、又は映像信号の内、少なくとも１つを前記第２の通信コンテンツに指定することにより、前記音声信号又は映像信号のように前記第２無線通信を介して通信を行うことができないコンテンツについては、前記第１無線通信のリンクロス判定時間を長く設定することにより、前記第１無線通信におけるリンク接続性を最大限に確保することが可能となる。
【発明の効果】
【００１４】
リンクロス発生の際も、ユーザにリンクロスを意識させることなく通信を継続することを実現することが可能となる。
【図面の簡単な説明】
【００１５】
【図１】本発明の実施形態１に係る複合無線装置のブロック構成図
【図２】本発明の実施形態１に係る複合無線装置による制御方式の決定処理を示すフローチャート
【図３】本発明の実施形態２に係る複合無線装置による制御方式の決定処理を示すフローチャート
【図４】本発明の実施形態３に係る複合無線装置による制御方式の決定処理を示すフローチャート
【発明を実施するための形態】
【００１６】
以下、本発明における実施の形態について、図面を参照しながら詳細に説明する。なお、以下の説明において、本発明に係る情報端末は、Ｂｌｕｅｔｏｏｔｈ通信を行う第１無線通信部１４と、無線ＬＡＮ通信を行う第２無線通信部１６とを有する複合無線装置１０である。
【００１７】
（実施の形態１）
図１は本発明の実施の形態１に係る複合無線装置１０の構成を示すブロック図である。図１に示すように、複合無線装置１０は、リンクロス検出部１１と、タイマ部１２と、メモリ部１３と、第１無線通信部１４と、制御部１５と、第２無線通信部１６と、を有している。
リンクロス検出部１１は、後述の第１無線通信部１４の通信状態を定期的にモニタしており、前記第１無線通信部１４のリンクロスを検出し次第、後述のタイマ部１２に通知する。
タイマ部１２は、前記リンクロス検出部１１よりリンクロスの通知を受けると、リンクロスからの経過時間を計数するタイマを開始し、後述のメモリ部１３に格納されているタイマ設定値を参照して、前記計数しているタイマカウント値が前記メモリに格納されているタイマ設定値より大きくなり次第、後述の制御部１５に通知する。
メモリ部１３は、前記タイマ部１２にて計数するタイマ設定値を格納している。
また、前記メモリ部１３に格納されているタイマ設定値は、後述の制御部１５により、第１無線通信部の通信コンテンツ種別（第１の通信コンテンツか、第２の通信コンテンツか）や第２無線通信部が起動しているか、否かに応じて、更新される。
第１無線通信部１４は、Ｂｌｕｅｔｏｏｔｈ通信などの近距離無線通信装置を備えている。
第１無線通信部１４は図示しない演算部から入力されるバイナリデータをベースバンドデータに変換し、図示しないＲＦ部において更にＦＨＳＳ（Ｆｒｅｑｕｅｎｃｙ  Ｈｏｐｐｉｎｇ  Ｓｐｒｅａｄ  Ｓｐｅｃｔｒｕｍ）方式等の無線信号（送信信号）に変換し、アンテナから送出する。また、図示しないベースバンド処理部は、アンテナから入力される無線信号(送信信号)をベースバンドデータに変換し、図示しないＲＦ部において更にバイナリデータに変換し、演算部に出力する。
また、第１無線通信部１４は、通信状態を前記リンクロス検出部１１へ出力する。
制御部１５は、前記第１無線通信部１４にてリンクロスが発生し次第、前記第１無線通信部１４の通信コンテンツ種別を判定し、前記メモリ部１３に格納しているタイマ設定値を判定結果に応じて更新する。また、制御部１５は、前記タイマ部１２からリンクロス判定の通知を受け次第、前記第１無線通信部と１４と、後述の第２無線通信部１６に通知する。このとき、制御部１５は、前記第２無線通信部１６が起動していない場合は、第２無線通信部に起動信号を送り、前記第２無線通信部１６を起動させる。
第２無線通信部１６は、無線ＬＡＮ通信など通信エリアの広い無線通信装置を備えている。
前記第２無線通信部１６は、図示しないベースバンド処理部から入力されるベースバンドデータ（無線ＬＡＮデータ）をＤＳＳＳ（Ｄｉｒｅｃｔ  Ｓｅｑｕｅｎｃｅ  Ｓｐｒｅａｄ  Ｓｐｅｃｔｒｕｍ）方式またはＯＦＤＭ方式等の無線信号（送信信号）に変換し、この無線信号をアンテナから出力する。また、前記第２無線通信部１６は、アンテナから入力される受信信号（例えば、ＤＳＳＳ方式またはＯＦＤＭ方式の信号）を、ベースバンドデータ（無線ＬＡＮデータ）に変換し、ベースバンドデータを図示しないベースバンド処理部に出力する。
【００１８】
次に、図１に示す複合無線装置１０における制御方式の決定処理について詳細に説明する。
【００１９】
本実施の形態では、第１無線通信の通信コンテンツ種別の判定を用いることにより、その判定結果に応じて前記第１無線通信のリンクロス判定時間の切替えを行っている。これにより、第１無線通信においてリンクロスが発生した際、第２無線通信への切替えが可能なコンテンツの場合には、リンクロス判定時間を短く設定することにより第２無線通信への切替えを短時間で実現し、ユーザにリンクロスを意識させることなく通信を継続することを可能にする。
【００２０】
次に、複合無線装置１０における制御方式決定処理の流れについて説明する。図２は、本発明の実施の形態１に係る前記複合無線装置１０による制御方式の決定処理を表すフローチャートを示す。具体的には、図２は前記第１無線通信部１４においてリンクロスが発生した際の、リンクロス検出部１１、タイマ部１２、メモリ部１３、第１無線通信部１４、制御部１５、第２無線通信部１６において制御方式が決定されるまでのフローチャートを示す。
【００２１】
ただし、本実施の形態では、第２無線通信は起動状態にあるものとする。
【００２２】
リンクロス検出部１１において、第１無線通信部１４のリンクロスを検出されたか、否かを判定する(ステップＳ１）。
【００２３】
リンクロスが検出された場合（ステップＳ１：Ｙｅｓ）、タイマ部１２は、前記リンクロス検出部１１からリンクロス検出の通知を受けると、リンクロスからの経過時間を計数するタイマを開始する(ステップＳ２)。
リンクロスが検出されなかった場合（ステップＳ１：Ｎｏ）、ステップＳ１の処理に戻る。
第１無線通信のリンクが復帰(通信再開)したか、否かを判定する（ステップＳ３）。
【００２４】
リンクが復帰(通信再開)していない場合（ステップＳ３：Ｎｏ）、前記タイマ部１２で計数されているタイマカウント値に１を加算する（ステップＳ４）。
第１の無線通信がリンク復帰(通信再開)した場合（ステップＳ３：Ｙｅｓ）、ステップＳ１の処理に戻る。
前記制御部１５において、前記期第１無線通信部において、第１の通信コンテンツを通信中であるか、否かを判定する（ステップＳ５）。
ここで、第１の通信コンテンツとは、前記第１無線通信部１４が通信する他の無線通信端末に対する制御コマンドを示し、第１の無線通信から第２の無線通信に通信経路を切替えて通信を行うことが可能なコンテンツを示している。また、第１の通信コンテンツに該当しない請求項記載の第２の通信コンテンツとは、音声信号、又は、映像信号の内、少なくとも１つを示し、第２の無線通信に通信経路を切替えて通信を行うことが不可能なコンテンツを示している。
第１の通信コンテンツを通信している場合（ステップＳ５：Ｙｅｓ）、前記制御部１５は、前記メモリ部１３に格納されているタイマ設定値を第１の所定時間に更新する。その後、前記タイマ部１２において、現在のタイマカウント値がメモリ部１３に格納されているタイマ設定値より大きいか、否かを判定する（ステップＳ６）。
現在のタイマカウント値がメモリ部１３に格納されているタイマ設定値より大きい場合（ステップＳ６：Ｙｅｓ）、前記第２無線通信部１６を介して第１の通信コンテンツの通信を行う（ステップＳ７）。
現在のタイマカウント値がタイマ設定値より小さい場合（ステップＳ６：Ｎｏ）、ステップＳ３の処理に戻る。
第１の通信コンテンツ以外を通信している場合（ステップＳ５：Ｎｏ）、前記制御部１５は、前記メモリ部１３に格納されているタイマ設定値を第２の所定時間に更新する。その後、前記タイマ部１２において、現在のタイマカウント値がメモリ部１３に格納されているタイマ設定値より大きいか、否かを判定する（ステップＳ８）。
現在のタイマカウント値が前記メモリ部１３に格納されているタイマ設定値より大きい場合（ステップＳ８：Ｙｅｓ）、前記第１無線通信部１４の通信遮断を通知する(ステップＳ９）。
現在のタイマカウント値が前記メモリ部１３に格納されているタイマ設定値より小さい場合（ステップＳ８：Ｎｏ）、ステップＳ３の処理に戻る。
【００２５】
よって、本実施の形態によれば、第１無線通信の通信コンテンツ種別の判定を行い、その判定結果に応じてリンクロス判定時間の切替えを行っている。これにより、第１無線通信においてリンクロスが発生した際、第２無線通信への切替えが可能なコンテンツの場合には、リンクロス判定時間を短く設定することにより短時間で第２無線通信に切替え、ユーザにリンクロスを意識させることなく通信を継続することを実現することができる。
【００２６】
（実施の形態２）
以下に、本発明の実施の形態２について、説明する。
【００２７】
本実施の形態では、実施の形態１に加えて、前記第２無線通信部が起動していない場合には前記第２無線通信部を起動させる制御手段を追加することで、第２無線通信部の状態に依存せず、第１無線通信がリンクロスした際に、よりユーザに意識させることなく、第２無線通信部に通信経路を切り替えて通信を継続することが可能とする。
【００２８】
以下、本実施の形態について具体的に説明する。尚、本実施の形態に係る複合無線装置１０の内部構成は、実施の形態１のブロック構成（図１）と同一であるため、説明は省略する。
【００２９】
図３は、本発明の実施の形態２に係る複合無線装置による制御方式の決定処理を表すフローチャートを示す。具体的には、図３は第１無線通信部１４においてリンクロスが発生した際のリンクロス検出部１１、タイマ部１２、メモリ部１３、第１無線通信部１４、制御部１５、第２無線通信部１６において制御方式が決定されるまでのフローチャートを示す。図３において、実施の形態１に係る複合無線装置による制御方式の決定処理を表すフローチャート（図２）と同一の処理には同一の符号を付し、その説明を省略する。
現在のタイマカウント値がメモリ部１３に格納されているタイマ設定値より大きい場合（ステップＳ６：Ｙｅｓ）、前記第２無線通信部１６が起動しているか、否かを判定する（ステップＳ１０）。
前記第２無線通信部１６が起動していない場合（ステップＳ１０：Ｙｅｓ）、前記制御部１５から前記第２無線通信部１６に制御信号を送り、前記第２無線通信部を起動する（ステップＳ１１）
前記第２無線通信部１６が起動している場合（ステップＳ１０：Ｎｏ）、ステップＳ７へ進む。
【００３０】
よって、本実施の形態によれば、実施の形態１に加えて、前記第２無線通信部が起動していない場合には前記第２無線通信部を起動させる制御手段を追加することで、前記第２無線通信部の状態に依存せず、第１無線通信がリンクロスした際に、よりユーザに意識させることなく、前記第２無線通信部に通信経路を切り替えて通信を継続することを可能とする。
【００３１】
（実施の形態３）
以下に、本発明の実施の形態３について、図面を参照しながら説明する。
本実施の形態では、前記第２無線通信部１６の起動状態（起動しているか、起動していないか)の判定を行い、その判定結果に応じて、前記第１無線通信部１４のリンクロス判定時に用いる前記メモリ部１３に格納されるタイマ値を更新する。これにより、前記第１無線通信部１４のリンクロス発生から前記第２無線通信部１６に通信経路を切替えて通信を再開するまでの所要時間が、前記第２無線通信部の起動状態（起動しているか、起動していないか）に関らず同一となるため、よりユーザに意識させることなく、前記第２無線通信部に通信経路を切替えて通信を継続することを可能とする。
【００３２】
以下、本実施の形態について具体的に説明する。尚、本実施の形態に係る複合無線装置１０の内部構成は、実施の形態１のブロック構成（図１）と同一であるため、説明は省略する。
【００３３】
図４は、本発明の実施の形態３に係る複合無線装置による制御方式の決定処理を表すフローチャートを示す。具体的には、図４は第１無線通信部１４においてリンクロスが発生した際のリンクロス検出部１１、タイマ部１２、メモリ部１３、第１無線通信部１４、制御部１５、第２無線通信部１６において制御方式が決定されるまでのフローチャートを示す。図４において、実施の形態２に係る複合無線装置による制御方式の決定処理を表すフローチャート（図３）と同一の処理には同一の符号を付し、その説明を省略する。
第１の通信コンテンツ以外を通信している場合（ステップＳ５：Ｎｏ）、前記制御部１５は、前記メモリ部１３に格納されているタイマ設定値を第２の所定時間に更新する。その後、前記タイマ部１２において、現在のタイマカウント値がメモリ部１３に格納されているタイマ設定値より大きいか、否かを判定する（ステップＳ８）。
前記第２無線通信部１６が起動していない場合（ステップＳ１０：Ｙｅｓ）、前記制御部１５は、前記メモリ部１３に格納されているタイマ設定値を第１の所定時間に更新する。その後、前記タイマ部１２において、現在のタイマカウント値がメモリ部１３に格納されているタイマ設定値より大きいか、否かを判定する（ステップＳ６）。
現在のタイマカウント値がメモリ部１３に格納されているタイマ設定値より大きい場合（ステップＳ６：Ｙｅｓ）、第２の無線通信部を起動し、ステップ７へ進む（ステップＳ１１）。
現在のタイマカウント値がメモリ部１３に格納されているタイマ設定値より小さい場合（ステップＳ６：Ｎｏ）、ステップＳ３の処理に戻る。
第２の無線通信部が起動している場合（ステップＳ１０：Ｎｏ）、前記制御部１５は、前記メモリ部１３に格納されているタイマ設定値を第３の所定時間に更新する。その後、前記タイマ部１２において、現在のタイマカウント値がメモリ部１３に格納されているタイマ設定値より大きいか、否かを判定する（ステップＳ１２）。
現在のタイマカウント値がメモリ部１３に格納されているタイマ設定値より大きい場合（ステップＳ１２：Ｙｅｓ）、ステップ７へ進む（ステップＳ１１）。
現在のタイマカウント値がメモリ部１３に格納されているタイマ設定値より小さい場合（ステップＳ１２：Ｎｏ）、ステップＳ３の処理に戻る。
よって、本実施の形態によれば、前記第２無線通信部の起動状態の判定を行い、その判定結果に応じて、前記第１無線通信部のリンクロス判定に用いる前記メモリに格納されるタイマ値を更新する。これにより、前記第１無線通信部のリンクロス発生から前記期第２無線通信部を介した通信開始までの所要時間が、前記第２無線通信部の起動状態（起動しているか、起動していないか）に関らず同一となるため、よりユーザに意識させることなく、前記第２無線通信部に通信経路を切り替えて通信を継続することを実現できる。
【００３４】
以上、本発明の各実施の形態について説明した。
【産業上の利用可能性】
【００３５】
本発明は、例えば、同一の周波数帯域を用いて無線ＬＡＮ装置と微弱電波無線装置とを複合させた複合無線装置等に有用である。
【符号の説明】
【００３６】
１０    複合無線装置
１１    リンクロス検出部
１２    タイマ部
１３    メモリ部
１４    第１無線通信部
１５    制御部
１６    第２無線通信部
【図１】
2012186744.tif 000003
【図２】
2012186744.tif 000004
【図３】
2012186744.tif 000005
【図４】
2012186744.tif 000006